(57)【要約】【課題】拡散式のガス検知ユニットとガス吸引ユニットとの着脱が容易であり、高い作業性の得られる携帯型ガス検知装置を提供すること。【解決手段】この携帯型ガス検知装置は、一方に開口する電池挿入口を介して円柱状の電池がその軸方向に沿って挿入される電池装填室を有すると共にガス検知ユニット装着部が形成されたケーシングを具え、電池の一方の電極に対する接続端子が設けられた電池蓋が電池挿入口の開口縁部に螺合されて装着されてなるガス吸引ユニットに対して、拡散式のガス検知ユニットが、その一面に形成されたガス検知部がガス検知ユニット装着部に受容された状態で、スライド係合されることにより着脱自在に装着されて構成されており、電池蓋の回動動作によって、ガス吸引ユニットの電源が投入可能な状態、または、ガス検知ユニットのガス吸引ユニットに対する着脱が可能となる状態が得られる安全構造を有する構成とされている。【選択図】図２
2014228512.tif 000002
【特許請求の範囲】
【請求項１】
拡散式のガス検知ユニットと、当該ガス検知ユニットが着脱自在に装着されるガス吸引ユニットとを具えてなり、
当該ガス吸引ユニットは、一方に電池挿入口が開口し、当該電池挿入口を介して円柱状の電池がその軸方向に沿って挿入される電池装填室を有するケーシングを具え、当該電池の一方の電極と接続される接続端子が設けられた電池蓋が当該電池挿入口の開口縁部に螺合されて装着されてなり、
前記ケーシングには、前記ガス検知ユニットの一面に形成されたガス検知部を受容した状態で、当該ガス検知ユニットがスライド係合されるガス検知ユニット装着部が形成されており、
前記電池蓋の回動動作によって、前記ガス吸引ユニットの電源が投入可能な状態、または、前記ガス検知ユニットの前記ガス吸引ユニットに対する着脱が可能となる状態が得られる安全構造を有することを特徴とする携帯型ガス検知装置。
【請求項２】
前記ガス検知ユニット装着部は、前記ガス検知ユニットにおけるガス検出部を受容する空間を画成する突縁部と、当該突縁部の先端より外方に突出して延びるよう設けられた、前記ガス検知ユニットの一面に連続する２つの周側面の各々に係合される一対のブレード状係合部材とを備えており、一方のブレード状係合部材は、前記電池挿入口が開口するケーシングにおける一方の側壁の外面との間に空隙を形成する状態で、前記突縁部の先端面よりガス検知ユニット装着方向外方に向かって突出して延びるレバー部を有しており、
前記電池蓋の回動動作によって、当該電池蓋におけるロック部材が前記空隙に嵌入されて当該電池蓋が前記ケーシングに対してロック状態とされることにより当該電池蓋における接続端子が前記電池装填室に設けられた本体接片端子に電気的に接続され、当該電池蓋の回動動作によって、当該電池蓋の前記ケーシングに対するロック状態が解除されることにより、前記接続端子と前記本体接片端子との電気的な接続が遮断されると共に前記一方のブレード状係合部材が前記空隙を利用して弾性的に変形可能な状態とされることを特徴とする請求項１に記載の携帯型ガス検知装置。
【請求項３】
前記電池装填室は、前記ケーシングの一方の側壁の外面より電池蓋装着方向に突出して延びる突出部を有し、当該突出部の外周面には、係合用突起が形成されており、
前記電池蓋の内周面には、当該係合用突起に係合される螺合溝が形成されており、当該螺合溝は、当該電池蓋装着方向に延びる前記係合用突起挿入用の案内溝部を有し、
当該電池蓋の回動動作によって、当該螺合溝の案内溝部と前記係合用突起が位置合わせされることにより当該電池蓋が前記ケーシングに対して着脱可能な状態とされることを特徴とする請求項２に記載の携帯型ガス検知装置。
【発明の詳細な説明】
【技術分野】
【０００１】
本発明は、携帯型ガス検知装置に関し、より詳しくは、ガス吸引ユニットを利用することにより、拡散式のガス検知ユニットを吸引式のものとして使用することのできる携帯型ガス検知装置に関する。
【背景技術】
【０００２】
一般に、例えば地下の工事現場や坑道、その他の人が立ち入る場所や作業領域などにおいて、その環境の空気中に一酸化炭素ガスや硫化水素ガスなどの危険性ガスが含有されるおそれがある場合や、空気中の酸素ガス濃度が低下しているおそれがある場合など、環境雰囲気の空気が危険な状態となっている可能性あるいは危険な状態となる可能性がある場合が少なくない。
そして、環境雰囲気の空気において、含有される危険性ガスの濃度が高いことにより、または酸素ガス濃度が低いことにより、人に対して危険な状態となったときには、そのことを直ちに知ることが必要である。
【０００３】
このような要請から、現在までに種々のタイプの携帯型ガス検知器が提案されている。
而して、このような携帯型ガス検知器のある種のものは、ガス検知が行われるべき対象空間の空気（被検ガス）を自然拡散によりガスセンサに導入する構成とされているが、例えば被検ガスを強制的に吸引してガスセンサに導入することが必要とされる場合がある。
【０００４】
そこで、例えば図９に示すように、手で握って保持可能な大きさとされたガス吸引装置８０を接続用チューブ８５により拡散式の携帯型ガス検知器９０に接続し、被検ガスをガス吸引装置８０によって強制的に吸引する方法が利用されている（例えば特許文献１参照。）。
【先行技術文献】
【特許文献】
【０００５】
【特許文献１】特許第３８３９３２５号公報
【発明の概要】
【発明が解決しようとする課題】
【０００６】
しかしながら、このようなガス検知方法にあっては、ガス測定時において、一方の手で携帯型ガス検知器を把持すると共に他方の手でガス吸引装置を把持した格好となる。従って、作業者の両手がふさがった状態となるため、扱いづらく、作業性がよくないといった問題があった。また、ガス吸引装置の使用に際しては、接続用チューブが必要であることから、作業者が接続用チューブを携行しておかなければならず、不便である。
【０００７】
本発明は、以上のような事情に基づいてなされたものであって、拡散式のガス検知ユニットをガス吸引ユニットを利用して用いる場合において、ガス検知ユニットとガス吸引にユニットの着脱を容易に行うことができ、しかも高い作業性が得られるものとして構成することのできる携帯型ガス検知装置を提供することを目的とする。
【課題を解決するための手段】
【０００８】
本発明の携帯型ガス検知装置は、拡散式のガス検知ユニットと、当該ガス検知ユニットが着脱自在に装着されるガス吸引ユニットとを具えてなり、
当該ガス吸引ユニットは、一方に電池挿入口が開口し、当該電池挿入口を介して円柱状の電池がその軸方向に沿って挿入される電池装填室を有するケーシングを具え、当該電池の一方の電極と接続される接続端子が設けられた電池蓋が当該電池挿入口の開口縁部に螺合されて装着されてなり、
前記ケーシングには、前記ガス検知ユニットの一面に形成されたガス検知部を受容した状態で、当該ガス検知ユニットがスライド係合されるガス検知ユニット装着部が形成されており、
前記電池蓋の回動動作によって、前記ガス吸引ユニットの電源が投入可能な状態、または、前記ガス検知ユニットの前記ガス吸引ユニットに対する着脱が可能となる状態が得られる安全構造を有することを特徴とする。
【０００９】
本発明の携帯型ガス検知装置においては、前記ガス検知ユニット装着部は、前記ガス検知ユニットにおけるガス検出部を受容する空間を画成する突縁部と、当該突縁部の先端より外方に突出して延びるよう設けられた、前記ガス検知ユニットの一面に連続する２つの周側面の各々に係合される一対のブレード状係合部材とを備えており、一方のブレード状係合部材は、前記電池挿入口が開口するケーシングにおける一方の側壁の外面との間に空隙を形成する状態で、前記突縁部の先端面よりガス検知ユニット装着方向外方に向かって突出して延びるレバー部を有しており、
前記電池蓋の回動動作によって、当該電池蓋におけるロック部材が前記空隙に嵌入されて当該電池蓋が前記ケーシングに対してロック状態とされることにより当該電池蓋における接続端子が前記電池装填室に設けられた本体接片端子に電気的に接続され、当該電池蓋の回動動作によって、当該電池蓋の前記ケーシングに対するロック状態が解除されることにより、前記接続端子と前記本体接片端子との電気的な接続が遮断されると共に前記一方のブレード状係合部材が前記空隙を利用して弾性的に変形可能な状態とされる構成とされていることが好ましい。
【００１０】
このような構成の携帯型ガス検知装置においては、前記電池装填室は、前記ケーシングの一方の側壁の外面より電池蓋装着方向に突出して延びる突出部を有し、当該突出部の外周面には、係合用突起が形成されており、
前記電池蓋の内周面には、当該係合用突起に係合される螺合溝が形成されており、当該螺合溝は、当該電池蓋装着方向に延びる前記係合用突起挿入用の案内溝部を有し、
当該電池蓋の回動動作によって、当該螺合溝の案内溝部と前記係合用突起が位置合わせされることにより当該電池蓋が前記ケーシングに対して着脱可能な状態とされる構成とされていることが好ましい。
【発明の効果】
【００１１】
本発明の携帯型ガス検知装置によれば、ガス検知ユニットをガス吸引ユニットに対してスライド係合させることによりガス検知ユニットを直接的にガス吸引ユニットに装着、固定することができると共に、ガス検知ユニットのガス吸引ユニットに対する係合状態を解除することによりガス検知ユニットをガス吸引ユニットから取り外すことができるので、ガス検知ユニットのガス吸引ユニットに対する着脱を極めて容易に行うことができ、しかも、ガス検知動作中において、作業者の両手がふさがった状態となることを回避することができるので、高い作業性を得ることができる。
また、電池蓋の回動動作によってガス吸引ユニットにおける電池蓋がケーシングに対してロックされた状態とされることを条件として、ガス吸引ユニットの電源が投入可能な状態が得られると共に、電池蓋の回動動作によってガス吸引ユニットにおける電池蓋がケーシングに対するロック状態が解除されることを条件として、ガス検知ユニットのガス吸引ユニットに対する着脱が可能となる状態が得られる安全構造を有する構成とされているので、ガス検知動作中において、ガス検知ユニットがガス吸引手段より外れてしまうといった不測の事態が生ずることを回避することができる。
【００１２】
さらにまた、電池蓋の回動動作によって、電池蓋のケーシングに対する着脱が可能となる状態が得られる構成とされていることにより、ガス検知動作中において、電池蓋が脱落してしまうといった不測の事態が生ずることを回避することができる。
【図面の簡単な説明】
【００１３】
【図１】本発明の携帯型ガス検知装置の一構成例を示す正面図である。
【図２】図１に示す携帯型ガス検知装置の分解図であって、（ａ）正面図、（ｂ）左側面図である。
【図３】図１における二点鎖線で囲まれた領域の構成を示す断面図である。
【図４】ガス吸引ユニットの一構成例を示す分解斜視図である。
【図５】電池蓋における接続端子の構成を示す正面図である。
【図６−Ａ】ポンプ装置における電池蓋がケーシングに対してロックされた状態を示す左側面図である。
【図６−Ｂ】ポンプ装置における電池蓋がケーシングに対してロックされた状態を、電池蓋の蓋本体を省略した状態で、示す左側面図である。
【図７−Ａ】ポンプ装置における電池蓋のケーシングに対するロックが解除された状態を示す左側面図である。
【図７−Ｂ】ポンプ装置における電池蓋のケーシングに対するロックが解除された状態を、電池蓋の蓋本体を省略した状態で、示す左側面図である。
【図８−Ａ】ポンプ装置における電池蓋がケーシングに対して着脱可能な状態とされた状態を示す、ポンプ装置の左側面図である。
【図８−Ｂ】ポンプ装置における電池蓋がケーシングに対して着脱可能な状態とされた状態を、電池蓋の蓋本体を省略した状態で、示すポンプ装置の左側面図である。
【図９】従来における、拡散式ガス検知器をガス吸引装置を利用して吸引式のものとして利用する場合の構成例を示す説明図である。
【発明を実施するための形態】
【００１４】
以下、本発明の実施の形態について詳細に説明する。
図１は、本発明の携帯型ガス検知装置の一構成例を示す正面図である。図２は、図１に示す携帯型ガス検知装置の分解図であって、（ａ）正面図、（ｂ）左側面図である。図３は、図１における二点鎖線で囲まれた領域の構成を示す断面図である。
この携帯型ガス検知装置は、拡散式のガス検知ユニットと、このガス検知ユニットが着脱自在に装着されるガス吸引ユニットとにより構成されている。
【００１５】
ガス検知ユニットは、それ自体が単独で動作する拡散式の携帯型ガス検知器１０により構成されている。
この携帯型ガス検知器１０は、手で握って保持することのできる大きさとされた、全体が略箱型形状のケーシング１１を具えており、このケーシング１１の一面（下面）には、ガス検出部２０が形成されている。
【００１６】
ガス検出部２０は、ケーシング１１の下面に形成されたセンサユニット装着部１２に、互いに異なる種類のガスを検知する例えば４つのボタン型のガスセンサを備えたセンサユニットが着脱自在に装着されて構成されている。
ガスセンサとしては、例えば、酸素ガス検知用のガルバニ電池式ガスセンサ２１ａ、例えば炭化水素ガスを％ＬＥＬ（爆発下限界濃度）の測定レンジで検知する接触燃焼式ガスセンサ２１ｂ、一酸化炭素ガス検知用の定電位電解式ガスセンサ２１ｃ、硫化水素ガス検知用の定電位電解式ガスセンサ２１ｄなどを挙げることができる。
【００１７】
センサユニットは、４つのガスセンサ２１ａ〜２１ｄと、センサホルダー２２と、このセンサホルダー２２に枠状のパッキン（不図示）を介して着脱自在に装着されるセンサキャップ２３と、このセンサキャップ２３に着脱自在に装着されるフィルタキャップ２５と、センサキャップ２３とフィルタキャップ２５との間に積層状態で介装されるシート状のパッキン２６と、各々のガスセンサ２１ａ〜２１ｄに共通の例えばＰＴＦＥよりなるシート状の防塵防水フィルタ２７とを具えている。２８ａは、接触燃焼式ガスセンサ２１ｂに係る干渉ガス成分を除去する干渉ガス除去フィルタであり、２８ｂは、一酸化炭素ガス検知用の定電位電解式ガスセンサ２１ｃに係る干渉ガス除去用活性炭フィルタである。
センサホルダー２２の下面には、４つのガスセンサ２１ｄ〜２１ｄを一方向に並んだ状態で保持するセンサー保持部が形成されている。
センサキャップ２３には、センサホルダー２２における各センサー保持部に通ずる互いに独立したガス流路２４ａ〜２４ｄが形成されている。
シート状のパッキン２６は、例えばゴムよりなり、センサキャップ２３におけるガス流路２４ａ〜２４ｄの各々に対応する位置に円形の開口（不図示）が形成されている。
【００１８】
以上において、図１における符号１５は、「ＰＯＷＥＲ」および「ＭＯＤＥ」が二段に表示されたメインスイッチとモード切替えスイッチを兼ねた第１の操作用ボタン、１６は、「ＡＩＲ」と表示された、ガスセンサの種類すなわち当該ガスセンサの検知対象ガスの種類に応じて警報発生基準を変更する機能調整用の第２の操作用ボタン、１７は、ガス検知結果が表示される表示部、１８は、ケーシング１１の正面およびこれに続く上面、両側面領域のそれぞれに形成された警報用発光部である。
【００１９】
ガス吸引ユニットは、携帯型のポンプ装置３０により構成されている。このポンプ装置３０は、図４にも示すように、ガス流入方向（「以下、長手方向」ともいう。）に細長い略直方体形状であって、長手方向の一方に電池挿入口５２が開口すると共に他方が開口するケーシング４０と、このケーシング４０の内部に配設された基板アセンブリ３１と、ケーシング４０の他端側開口部に気密に装着されたフィルタユニット３５とを具えている。ここに、ケーシング４０は、手で握って保持可能な大きさとされている。
基板アセンブリ３１は、例えばダイヤフラム式のポンプ３３とポンプ駆動用モータ３４が平板状の動作制御用基板３２の一面における他端側領域に設けられて構成されている。この基板アセンブリ３１は、動作制御用基板３２の他面が正面側を向く姿勢で、ケーシング４０の他端側開口部よりケーシング４０の正面側の周側壁に沿って挿入されて配置される。ここに、ポンプ３３によるガス吐出量は、例えば０．５〜１．５リットル／ｍｉｎである。
【００２０】
ケーシング４０の上面には、携帯型ガス検知器１０を着脱自在に保持固定するガス検知ユニット装着部４１が形成されている。
ガス検知ユニット装着部４１の構造について具体的に説明すると、このポンプ装置３０におけるケーシング４０の上面には、上方に突出する突縁部４２がケーシング４０の外周縁の全周にわたって延びるよう形成されており、これにより、携帯型ガス検知器１０のガス検出部２０を受容するガス検知ユニット装着用空間部Ｓが形成されている。そして、長手方向における両側に位置される突縁部４２の領域には、一対のブレード状係合部材４３ａ，４３ｂが互いに対向して上方に突出して延びるよう設けられている。これらのブレード状係合部材４３ａ，４３ｂの各々には、先端に携帯型ガス検知器１０のケーシング１１における両側面に形成された凹所よりなる被係合部１１ａに係合される係合爪部４４が形成されている。従って、携帯型ガス検知器１０は、ガス検出部２０がガス検知ユニット装着用空間部Ｓに受容された状態で、ガス検知ユニット装着部４１に対してスライド係合される。
【００２１】
一方のブレード状係合部材４３ａは、ガス検知ユニット装着用空間部Ｓを区画する突縁部４２の先端面より下方に突出して延びるレバー部４５を有する。このレバー部４５は、ケーシング４０の電池挿入口５２が開口する端壁の外面との間に空隙Ｃが形成される状態で形成されている。従って、レバー部４５が外方側から押されることにより一方のブレード状係合部材４３ａの先端部が、他方のブレード状係合部材４３ｂの先端部に対して離間するよう弾性的に変形される。これにより、携帯型ガス検知器１０とポンプ装置３０との係合状態が解除され、携帯型ガス検知器１０を引き抜くことによりポンプ装置３０から取り外すことができる。
【００２２】
ケーシング３１の上壁には、ガス検知ユニット装着用空間部Ｓに連通する貫通孔（図示せず）が形成されている。この貫通孔は、ケーシング３１の内部に設けられたポンプ３３のガス吐出部３３ａに対応して形成されている。
そして、ガス検知ユニット装着用空間部Ｓ内には、シート状パッキン７０が配置されている。このシート状パッキン７０は、携帯型ガス検知器１０のフィルタキャップ２５における開口の各々に対応して形成された複数の開口を有する。シート状パッキン７０の上面には、各々対応するフィルタキャップの開口内に気密に嵌入される環状の凸部７１が、各開口の周縁に沿って形成されている。また、シート状パッキン７０の下面には、各開口の中央位置において、下方に突出して延びる板状部７２が形成されている。従って、ガス検知ユニット装着部４１内において、各板状部７２の先端がケーシング４０の上面に対接状態で装着されることにより、板状部７２がいわば邪魔板として機能して携帯型ガス検知器１０における各ガスセンサ２１ａ〜２１ｄに被検ガスを順次に供給する屈曲したガス供給流路（図３における一点鎖線は、被検ガスの流れを示す。）Ｒを形成する。
【００２３】
また、ケーシング４０の内部には、一方（図１において左方）に電池挿入口５２が開口し、当該電池挿入口５２を介して、１本の円柱状の電池例えば単三型の乾電池がその軸方向に沿って挿入されて装着される電池装填室５０が形成されている。この電池装填室５０は、ケーシング４０の端壁の外面より電池蓋装着方向に突出して延びるスリーブ状の突出部５１を有し、この突出部５１に、電池蓋５５が着脱自在に装着される。
電池装填室５０内における正面側領域には、片状の本体接片端子５４が長手方向に延びる状態で設けられている。
【００２４】
電池蓋５５は、電池装填室５０の突出部５１を受容するカップ状の蓋本体５６と、この蓋本体５６の底壁の内面に設けられた接続端子６０とにより構成されている。
【００２５】
蓋本体５６の内周面には、電池装填室５０の突出部５１の外周面に形成された係合用突起５３が螺合される螺合溝が形成されており、この螺合溝の一端部には、軸方向に延びる案内溝部が形成されている。このような構成とされることにより、ガス検知動作中において、電池蓋５５が脱落するといった不測の事態が生ずることを回避することができる。また、電池蓋５５が誤った姿勢で装着されることが禁止される。
また、蓋本体５６の開口端縁には、片状のロック部材５７が径方向外方に突出して設けられており、後述するように、電池蓋５５の回動動作により、ロック部材５７の先端部は、一方のブレード状係合部材４３ａとケーシング４０の端壁における外面との間の空隙Ｃ内に収容された状態とされる。
【００２６】
接続端子６０は、図５に示すように、１本の弾性金属線が変形加工されてなり、電池の一方の電極との接続部を構成する渦巻バネ部６１と、この渦巻バネ部６１の一端に直線状に延びる連結部６２ａを介して連続する第１の弧状湾曲部６３と、この第１の弧状湾曲部６３の一端に直線状に延びる連結部６２ｂを介して連続する第２の弧状湾曲部６４と、この第２の弧状湾曲部６４の一端に直線状に延びる連結部６２ｃを介して連続する第３の弧状湾曲部６５とを有する。この接続端子６０は、渦巻バネ部６１の軸方向からの平面視にて、外周輪郭形状が鈍角三角形の辺に沿った形態を有する。そして、第１の弧状湾曲部６３の頂部および第３の弧状湾曲部６５の頂部は、同一円周上に位置されており、第２の弧状湾曲部６４の頂部は、第１の弧状湾曲部６３の頂部および第３の弧状湾曲部６５の頂部が位置される円より小さい径の同心円の円周上に位置された形態とされている。
電池蓋５５がケーシング４０に装着された状態において、接続端子６０は、第１の弧状湾曲部６３、第２の弧状湾曲部６４および第３の弧状湾曲部６５は、いずれも、電池装填室５０の突出部５１の開口端面上に位置され、第１の弧状湾曲部６３の頂部および第３の弧状湾曲部６５の頂部が突出部５１の外周縁より外方に突出した状態で、配置される（例えば図６−Ｂ参照。）。また、第２の弧状湾曲部６４の頂部は、電池装填室５０の突出部５１の開口端面上に位置された状態とされる。
【００２７】
而して、上記の携帯型ガス検知装置は、ポンプ装置３０における電池蓋５５の回動動作によって、ガス検知動作を行うに際してポンプ装置３０の電源が投入可能な状態、および、携帯型ガス検知器１０のポンプ装置３０に対する着脱が可能となる状態が得られる安全構造を有している。このような構成とされていることにより、ガス検知動作時において携帯型ガス検知器１０がポンプ装置３０から外れるなどの不測の事態が生ずることを確実に回避することができる。
【００２８】
上記の携帯型ガス検知装置における安全構造について具体的に説明すると、ポンプ装置３０は、携帯型ガス検知器１０と分離された状態にあるときには、通常、図６−Ａに示すように、電池蓋５５がケーシング４０に対してロックされた状態とされている。すなわち、上述したように、電池蓋５５におけるロック部材５７の先端部が、一方のブレード状係合部材４３ａとケーシング４０の端壁における外面との間の空隙Ｃ内に嵌入されて係合された状態とされている。この状態においては、一方のブレード状係合部材４３ａにおけるレバー部４５を外方側から押すことはできないため、携帯型ガス検知器１０をポンプ装置３０に装着することはできない。従って、図７−Ａに示すように、ポンプ装置３０における電池蓋５５を反時計方向に回動させてロック部材５７の先端部の係合状態を解除することにより、一方のブレード状係合部材４３ａにおけるレバー部４５を動作させて携帯型ガス検知器１０をポンプ装置３０に対して装着可能な状態を得ることができる。
【００２９】
そして、携帯型ガス検知器１０をポンプ装置３０に装着した後、ガス検知動作を行う場合には、電池蓋５５のケーシング４０に対するロック状態が解除された状態のままでは、ポンプ装置３０の電源を投入することができない状態とされている。すなわち、電池蓋５５のケーシング４０に対するロック状態が解除された状態においては、図７−Ｂに示すように、電池蓋５５における接続端子６０は、ケーシング４０の電池装填室５０に設けられた本体接片端子５４に対して非接触状態とされており、電気的な接続が遮断されている。従って、ポンプ装置３０における電池蓋５５を時計方向に回動させることにより、電池蓋５５における接続端子６０は、電池蓋５５の回動動作に伴って電池装填室５０の突出部５１の開口端面上を周方向に移動される。そして、電池蓋５５におけるロック部材５７の先端部が一方のブレード状係合部材４３ａにおけるレバー部４５の内面とケーシング４０の端壁における外面との間の空隙Ｃ内に嵌入されて係合されたロック状態においては、図６−Ｂに示すように、電池蓋５５における接続端子６０は、電池装填室５０に設けられた本体接片端子５４に対して弾接されて電気的に接続された状態とされる。すなわち、ポンプ装置３０における電池蓋５５の回動動作によって、ポンプ装置３０における電池蓋５５がケーシング４０に対してロックされた状態とされることにより、ポンプ装置３０の電源を投入可能な状態が得られる。
【００３０】
一方、携帯型ガス検知器１０をポンプ装置３０より取り外す場合には、携帯型ガス検知器１０をポンプ装置３０に装着する場合と同様の操作を行えばよい。
【００３１】
また、電池交換のために、ポンプ装置３０における電池蓋５５をケーシング４０より取り外す場合には、図８−Ａに示すように、電池蓋５５のケーシング４０に対するロック状態が解除された状態とされる位置よりさらに、電池蓋５５を反時計方向に回動させることにより、電池装填室５０の突出部５１における係合用突部５３と電池蓋５５における螺合溝の案内溝部とが位置合わせられた状態とされ、電池蓋５５を長手方向にスライドさせることにより電池蓋５５を取り外すことが可能な状態とされる。このとき、図８−Ｂに示すように、電池蓋５５における接続端子６０は、直線状の連結部６２ｂが電池装填室５０に設けられた本体接片端子５４より離間するよう移動されるため、本体接片端子５４に対して接触することはない。
【００３２】
上記の携帯型ガス検知装置の動作について説明する。
携帯型ガス検知器１０の電源を投入して動作状態とした状態において、ポンプ装置３０の電源が投入されることにより、ガス測定対象空間の空気である被検ガスがポンプ装置によって吸引される。ポンプ装置３０によって吸引された被検ガスは、シート状パッキン７０とケーシング４０とによって形成された屈曲したガス供給流路Ｒに沿って流過されながら、携帯型ガス検知器１０における各ガス流路２４ａ〜２４ｄに流入されて各ガスセンサ２１ａ〜２１ｄに供給される。そして、目的とするガスについてその濃度検知が行われ、その結果が携帯型ガス検知器１０における表示部１７に表示されると共に、検知対象ガスの濃度が当該ガスについて設定された基準値を超えたときには、警報が発せられる。例えば、検知対象ガスが酸素ガス（Ｏ２ガス）の場合には、基準値は例えば１８．０体積％（ｖｏｌ％）とされ、それ以下となったときに警報が発せられる。また、基準値は、検知対象ガスが炭化水素ガス（ＨＣガス）の場合には、例えば１０％ＬＥＬ（爆発下限界濃度に対するガス濃度）とされ、一酸化炭素ガス（ＣＯガス）の場合には例えば２５ｐｐｍとされ、硫化水素ガス（Ｈ２Ｓガス）の場合には例えば１０ｐｐｍとされ、当該基準値を超えたときに警報が発せられる。
【００３３】
而して、上記の携帯型ガス検知器によれば、携帯型ガス検知器１０をポンプ装置３０におけるガス検知ユニット装着部４１に対してスライド係合させることにより携帯型ガス検知器１０を直接的にポンプ装置３０に装着、固定することができると共に、一方のブレード状係合部材４３ａのレバー部４５が外方側から押されることにより携帯型ガス検知器１０とポンプ装置３０との係合状態を解除して携帯型ガス検知器１０をポンプ装置３０から取り外すことができるので、携帯型ガス検知器１０のポンプ装置３０に対する着脱を極めて容易に行うことができ、しかも、ガス検知動作中において、作業者の両手がふさがった状態となることを回避することができるので、高い作業性を得ることができる。
【００３４】
また、電池蓋５５の回動動作によってポンプ装置３０における電池蓋５５がケーシング４０に対してロックされた状態とされることを条件として、電池蓋５５の接続端子６０が電池装填室５０に設けられた本体接片端子５４と電気的に接続されてポンプ装置３０の電源が投入可能な状態が得られる。そして、電池蓋５５の回動動作によってポンプ装置３０における電池蓋５５がケーシング４０に対するロック状態が解除されることを条件として、電池蓋５５の接続端子６０と本体接片端子５４との電気的な接続が遮断されると共に、一方のブレード状係合部材４３ａが空隙Ｃを利用して弾性的に変形可能な状態とされて携帯型ガス検知器１０のポンプ装置３０に対する着脱が可能となる状態が得られる。このような安全構造を有する構成とされているので、ガス検知動作中において、携帯型ガス検知器１０がポンプ装置３０より期せずして外れてしまうといった不測の事態が生ずることを回避することができる。
【００３５】
さらにまた、電池蓋５５の回動動作によって、電池蓋５５のケーシング４０に対する着脱が可能となる状態が得られる構成とされていることにより、ガス検知動作中において、電池蓋５５が脱落してしまうといった不測の事態が生ずることを回避することができる。
【００３６】
以上、本発明の実施形態について説明したが、本発明は上記の実施形態に限定されるものではなく、種々の変更を加えることができる。
ガス検知ユニットは、拡散式のものであれば、上記構成のものに限定されない。
【符号の説明】
【００３７】
１０  携帯型ガス検知器（ガス検知ユニット）
１１  ケーシング
１１ａ  被係合部
１２  センサユニット装着部
１５  第１の操作用ボタン
１６  第２の操作用ボタン
１７  表示部
１８  警報用発光部
２０  ガス検出部
２１ａ  酸素ガス検知用のガルバニ電池式ガスセンサ
２１ｂ  接触燃焼式ガスセンサ
２１ｃ  一酸化炭素ガス検知用の定電位電解式ガスセンサ
２１ｄ  硫化水素ガス検知用の定電位電解式ガスセンサ
２２  センサホルダー
２３  センサキャップ
２４ａ〜２４ｄ  ガス流路
２５  フィルタキャップ
２６  シート状のパッキン
２７  防塵防水フィルタ
２８ａ  干渉ガス除去フィルタ
２８ｂ  干渉ガス除去用活性炭フィルタ
３０  ポンプ装置
３１  基板アセンブリ
３２  動作制御用基板
３３  ポンプ
３３ａ  ガス吐出部
３４  ポンプ駆動用モータ
３５  フィルタユニット
４０  ケーシング
４１  ガス検知ユニット装着部
４２  突縁部
Ｓ  ガス検知ユニット装着用空間部
４３ａ  一方のブレード状係合部材
４３ｂ  他方のブレード状係合部材
４４  係合爪部
４５  レバー部
５０  電池装填室
５１  突出部
５２  電池挿入口
５３  係合用突起
５４  本体接片端子
５５  電池蓋
５６  蓋本体
５７  ロック部材
６０  接続端子
６１  渦巻バネ部
６２ａ，６２ｂ，６２ｃ  連結部
６３  第１の弧状湾曲部
６４  第２の弧状湾曲部
６５  第３の弧状湾曲部
７０  シート状パッキン
７１  凸部
７２  板状部
Ｒ  ガス供給流路
８０  ガス吸引装置
８５  接続用チューブ
９０  携帯型ガス検知器
【図１】
2014228512.tif 000003
【図２】
2014228512.tif 000004
【図３】
2014228512.tif 000005
【図４】
2014228512.tif 000006
【図５】
2014228512.tif 000007
【図６−Ａ】
2014228512.tif 000008
【図６−Ｂ】
2014228512.tif 000009
【図７−Ａ】
2014228512.tif 000010
【図７−Ｂ】
2014228512.tif 000011
【図８−Ａ】
2014228512.tif 000012
【図８−Ｂ】
2014228512.tif 000013
【図９】
2014228512.tif 000014